(57)【要約】【課題】  本発明の目的は、固定するために別の部品を必要とせず、また固定するために工具本体に特別な構造を設ける必要のないカバーと、このカバーを有する電動工具を提供することにある。【解決手段】  モータと、該モータを収容し、通気口を有するハウジングと、該モータの駆動力を伝達する伝達機構部と、該伝達機構部を収容するギヤケースと、該ギヤケースを覆うカバーと、を備えた電動工具において、該カバーは該通気口と係合する凸部を有するように構成する。【選択図】  図１
2006055957.tif 000002
【特許請求の範囲】
【請求項１】
モータと、
該モータを収容し、通気口を有するハウジングと、
該モータの駆動力を伝達する伝達機構部と、
該伝達機構部を収容するギヤケースと、
該ギヤケースを覆うカバーと、
を備えた電動工具において、
該カバーは該通気口と係合する凸部を有することを特徴とする電動工具。
【発明の詳細な説明】
【技術分野】
【０００１】
本発明は、外枠を覆うカバーを備えた電動工具に関し、特にカバーを外枠に固定する構造に関するものである。
【背景技術】
【０００２】
電動工具には、外枠が傷つくのを防いだり、手で外枠を触った時に外枠の熱が手に直接伝わるのを防ぐために、外枠を覆うカバーが設けられる。カバーは電動工具を使用する上で、必ずしも必要とされる部品ではないので、工具本体に対して着脱可能に設けられるのが一般的である。またカバーは工具本体に対して、付属部品としてではなく別売部品として販売される場合が多い。このような事情から、カバーを工具本体に簡単に着脱できる構造が望ましい。カバーを外枠に固定する構造としては、例えば特許文献１に記載されている構造がある。
【０００３】
特許文献１には概ね次のことが記載されている。すなわち、外枠であるハンマケースの外周を覆うようにカバーを挿通した後、固定手段であるストッパをハンマケースに取り付ける。ストッパは弾性を有し、ストッパに設けた嵌合凹部をハンマケースに設けた嵌合凸部に係合させることによって、カバー及びストッパが離脱してしまわないように確実に位置決めすることができる。
【０００４】
【特許文献１】特開２００３−２４５８６５号広報
【発明の開示】
【発明が解決しようとする課題】
【０００５】
特許文献１に記載の構造では、カバーを固定するために別部品であるストッパが必要になるので、部品点数が増えてコストが上がる。また、ストッパを外枠に係合させるために外枠に嵌合凸部を設ける必要があるが、カバーを取り外した時にはこの嵌合凸部がむき出しになるため、デザイン性が損なわれる。
【０００６】
本発明の目的は、固定するために別の部品を必要とせず、また固定するために工具本体に特別な構造を設ける必要のないカバーと、このカバーを有する電動工具を提供することにある。
【課題を解決するための手段】
【０００７】
モータと、該モータを収容し、通気口を有するハウジングと、該モータの駆動力を伝達する伝達機構部と、該伝達機構部を収容するギヤケースと、該ギヤケースを覆うカバーと、を備えた電動工具において、該カバーは該通気口と係合する凸部を有するように構成する。このようにすれば、凸部を通気口に係止させることによって、カバーをギヤケースに着脱可能に取り付けることができる。
【発明の効果】
【０００８】
請求項１記載の構成によれば、凸部を通気口に係止させることによって、カバーをギヤケースに着脱可能に取り付けることができる。従って、固定するために別の部品を必要とせず、また固定するために工具本体に特別な構造を設ける必要のないカバーと、そのカバーを有する電動工具を提供することができる。
【発明を実施するための最良の形態】
【０００９】
＜第１の実施の形態＞
本発明の第１の実施の形態にかかる電動工具について、図１乃至図４を参照しながら説明する。
【００１０】
図１に示すように、電動工具の一例である電動ドライバ１は、外枠である樹脂製のハウジング２と、ハウジング２の一端に取り付けられる別の外枠であるアルミ合金製のギヤケース４と、ギヤケース４を覆うゴム又は合成樹脂製のカバー３と、を備えている。ハウジング２のギヤケース４付近には通気口２ａがハウジング２の内部から外部まで貫通するように形成されている。
【００１１】
カバー３のハウジング２側の一端には、通気口２ａまで延びる延出部３ａが複数形成される。そして図３及び図４に示すように、各々の延出部３ａの先端から通気口２ａに係合可能な凸部３ｂが内側に向かって突出するように形成される。
【００１２】
図３は、凸部３ｂと通気口２ａとの間に締め代を持たせ、両者の間の摩擦力によって凸部３ｂが通気口２ａから容易には抜けないように構成した例を示している。カバー３を取り付けるには、カバー３を電動ドライバ１の前方（図１の左方）からギヤケース４に被せ、凸部３ｂを通気口２ａに圧入する。これにより、延出部３ａはハウジング２に固定され、凸部３ｂを通気口２ａから抜かない限りは、カバー１０３が脱落することはない。
【００１３】
また図４は、凸部３ｂの先端に爪部３ｃを形成し、凸部３ｂが抜けようとすると爪部３ｃが通気口２ａに引っかかることによって、凸部３ｂが通気口２ａから容易には脱落しないように構成した例を示している。カバー３を取り付けるには、カバー３を電動ドライバ１の前方（図１の左方）からギヤケース４に被せ、爪部３ｃを変形させながら凸部３ｂを通気口２ａに挿入し、爪部３ｃを通気口２ａの内側まで通す。これにより、延出部３ａはハウジング２に固定され、凸部３ｂを通気口２ａから抜かない限りは、カバー１０３が脱落することはない。
【００１４】
図３及び図４のいずれの構造にしても、カバー３は他の部品を必要とすることなくギヤケース４に取り付けられ、またハウジング２にもギヤケース４にもカバー３を固定するための特別な構造を設ける必要がない。この方法は、当初はカバー３を装着することを考慮に入れずに設計された工具において、後でカバー３を装着できるようにしたい場合などにも有効である。また、ギヤケース４は内部の機構部から熱が伝わって高温になり、ひどい場合にはカバー３を熱変形させる原因となるが、凸部３ｂは冷却風の通る通気口２ａに嵌められるので、凸部３ｂが冷却風によって冷却される。このため、凸部３ｂ及び延出部３ａは変形し難く、安定して抜け止めを行うことができる。
【００１５】
なお、通気口２ａに限らず、ハウジング２に形成された他の穴や溝にカバー３の凸部３ｂを係止するように構成してもよい。
【００１６】
カバー３は透明又は透光性のある合成樹脂で形成される。このようにすれば、アルミ合金製のギヤケース４の表面が外部から見えるので、堅牢なイメージを受ける。
【００１７】
＜第２の実施の形態＞
第２の実施の形態にかかる電動工具について、図５乃至図７を参照しながら説明する。
【００１８】
この実施の形態では、より確実にカバー１０３をギヤケース１０４に固定するために、敢えてカバー１０３とは別の部品としてねじ１０６を使用する。カバー１０３には、ハウジング１０２側に延びる延出部１０３ａと、延出部１０３ａに形成される貫通穴１０３ｄと、を設ける。ハウジング１０２には、貫通穴１０３ｄに対応する位置にねじ１０６と螺号するねじ穴１０２ｂを設ける。
【００１９】
カバー１０３を取り付けるには、カバー１０３を電動ドライバ１０１の前方（図５の左方）からギヤケース１０４に被せ、貫通穴１０３ｄからねじ１０６を挿通してねじ穴１０２ｂに螺号させる。これにより、延出部１０３ａは確実にハウジング１０２に固定され、ねじ１０６を緩めて外さない限りは、カバー１０３が脱落することはない。
【００２０】
この実施の形態では、工具本体側にねじ穴１０２ｂを設ける必要があるが、ねじ穴１０２ｂは、成形後のハウジング１０２にドリルで下穴を開けて、タップでねじ加工をすることで形成される。ハウジング１０２の成形型にはカバー１０３を固定するための特別の構造を設けておく必要がない。この方法は、当初はカバー１０３を装着することを考慮に入れずに設計された工具において、後でカバー１０３を装着できるようにしたい場合などに有効である。
【図面の簡単な説明】
【００２１】
【図１】本発明の第１の実施の形態に係る電動ドライバの正面図。
【図２】図１のＡ−Ａ線に沿った部分断面図。
【図３】図２のＢ部拡大図において、凸部を通気口に圧入した例を示す図。
【図４】図２のＢ部拡大図において、爪部を通気口に係止した例を示す図。
【図５】本発明の第２の実施の形態に係る電動ドライバの正面図。
【図６】図５のＣ−Ｃ線に沿った部分断面図。
【図７】図６のＤ部拡大図。
【符号の説明】
【００２２】
１，１０１  電動ドライバ
２，１０２  ハウジング
２ａ  通気口    １０２ｂ  ねじ穴
３，１０３  カバー
３ａ，１０３ａ  延出部    ３ｂ  凸部    ３ｃ  爪部    １０３ｄ  貫通穴
４，１０４  ギヤケース
１０６  ねじ
【図１】
2006055957.tif 000003
【図２】
2006055957.tif 000004
【図３】
2006055957.tif 000005
【図４】
2006055957.tif 000006
【図５】
2006055957.tif 000007
【図６】
2006055957.tif 000008
【図７】
2006055957.tif 000009